(57)【特許請求の範囲】
【請求項１】
置台に設けられた取り付け穴に器具の外郭ケースを納めて使用される加熱調理器具において、前記外郭ケースは、底面から見て正方形の形状を有し、前記外郭ケースの上端外周の全周に設けられたフランジと、前記外郭ケースに近接した前記フランジの下面全周に設けられた下向きに凹状の溝と、前記フランジの一辺が伸びた端縁部に設けられた前記フランジの下面全周に設けられた溝の一辺と平行な下向きに凹状の溝と、この前記フランジの下面全周に設けられた溝の一辺と平行な溝の両端と前記フランジの下面全周に設けられた溝とを接続する下向きに凹状の溝と、を設けた加熱調理器。
【発明の詳細な説明】
【０００１】
【発明の属する技術分野】
本発明は、一般家庭の厨房で使用される電磁誘導加熱装置等の加熱調理器具の改良に関するものである。
【０００２】
【従来の技術】
ミニキッチン等では、加熱調理用の熱源として１口タイプの電磁誘導加熱装置（以下、電磁調理器と称す）やシーズヒータ式或いは熱板ヒータ式の電気調理器が用いられている。
【０００３】
これらのタイプのものは、調理器具の外郭ケースが正方形又は長方形で、その大半を調理台等の置台の上面に設けた取り付け穴から置台の中に納めるものであり、置台の上に出る天板部分は全体の１０％位である。
【０００４】
一方、置台は、木製、大理石、金属板（ステンレス板）等で構成され、その
上面には電磁調理器等の外郭ケースの寸法より若干大きめの取り付け穴が開けられている。その取り付け穴の形状は一般的に約２９０ｍｍの正方形の角穴又は約２７０ｍｍ×約３３０ｍｍの長方形の角穴が多く用いられている。
【０００５】
従って、電磁調理器等を買い換える場合には、置台の取り付け穴の形状に合わせて器具を選定しないと取り付けが出来ない場合がある。
【０００６】
また、置台が金属板の場合、取り付け穴端部の強度を増すために、その穴の端部から上向きに３〜４ｍｍの切り起こしを設けている。
【０００７】
従って電磁調理器等の外郭ケースの取り付け用のフランジ部には、この切り起こしを納めるため、下側に凹状をした溝が必要である。
【０００８】
前記フランジ部にこの溝を設けないものも製品化されているが、これを取り付ける場合は、切り起こしと同一高さとなるスペーサ部材を用いて外郭ケースを持ち上げ、その取り付けを行う等の作業が必要であった。（例えば実用新案登録第２５５２７２９号公報）
【０００９】
【発明が解決しようとする課題】
近年、電磁調理器の安全性、加熱効率が非常に高いことが評価され、シーズヒータ式や熱板ヒータ式の電気調理器から電磁調理器への買い替え需要が多くなっている。この買い換えの場合、取り付けの互換性が重要なポイントである。
【００１０】
しかし、上記したように従来の電磁調理器においては、外郭ケースの形状が正方形と長方形の２種類があり、また置台に外郭ケースの寸法より若干大きめの正方形の角穴又は長方形の角穴が開けられ、さらに、置台が金属板の場合に取り付け穴の端部の強度を増すために、その穴の端部に上向きに３〜４ｍｍの切り起こしを設けているため、電磁調理器を買い換える場合には取り付け穴の形状や切り起こしに合わせて器具を選定しないと取り付けが出来ない場合があった。
【００１１】
そこで、本発明はすでに設けられている取り付け穴の形状が正方形又は長方形であっても、また、置台が金属製で取り付け穴の端部に上向きの切り起こしがあるものであっても、特別な加工を加えることなく取り付けが出来る１口タイプの加熱調理器具を提供するものである。
【００１２】
【課題を解決するための手段】
本発明は、置台に設けられた取り付け穴に器具の外郭ケースを納めて使用される加熱調理器具において、前記外郭ケースは、底面から見て正方形の形状を有し、前記外郭ケースの上端外周の全周に設けられたフランジと、前記外郭ケースに近接した前記フランジの下面全周に設けられた下向きに凹状の溝と、前記フランジの一辺が伸びた端縁部に設けられた前記フランジの下面全周に設けられた溝の一辺と平行な下向きに凹状の溝と、この前記フランジの下面全周に設けられた溝の一辺と平行な溝の両端と前記フランジの下面全周に設けられた溝とを接続する下向きに凹状の溝と、を設けたものである。
【００１３】
これによって、取り付け穴の形状が正方形でも長方形でも又取り付け穴の端部に切り起こしが設けられていても容易に取り付けることが出来るものである。
【００１４】
【発明の実施の形態】
図面は、本発明の一実施例を示すものであり、図１及び図２は本発明に係る電磁調理器を置台に取り付けた状態の概略側面断面図、図３は図１及び図２の概略正面断面図、図４は同外郭ケース及びフランジ部を下側から見た状態の説明図、図５は図４の他の実施例の説明図を示すものである。
【００１５】
図１から図４のＡ寸法、Ｂ寸法、Ｃ寸法の関係は、Ａ＝Ｃ、Ａ＜Ｂであり、Ａ＝Ｃの関係から外郭ケースが取り付け穴の中に入る部分は正方形であり、図１の取り付け穴は正方形、図２の取り付け穴はＡ＜Ｂの関係から長方形であることを示している。
【００１６】
図において、１は電磁調理器の外郭ケースである。この外郭ケース１は調理台等の置台１５の上面に設けた角穴よりなる取り付け穴２の中に上部を残して大半が納められる。取り付け穴２は、置台１５が金属板の場合、補強用としてその穴２の端部から上向きに３〜４ｍｍの切り起こし１６を設けている。
【００１７】
外郭ケース１は上部が開口した箱体よりなり、その中には加熱コイル３、制御基板４、冷却用ファン５等の主要部品が納められ、前部側面（又は下部）に吸気口６、後部側面に排気口７を設けている。
【００１８】
また、この外郭ケース１は底面から見ると図４のＡ＝Ｃの寸法から明らかなように正方形の形状をしており、上端には外郭ケース１を吊り下げるためのフランジ８が全周に形成され、さらにこのフランジ８の外郭ケース１の上端部との近接側に下向きに凹状をした溝９が全周わたって形成されている。
【００１９】
１０は加熱コイル３の上側に水平に配置されたトッププレートで、被加熱物を載置するものであり、耐熱、絶縁性に優れた結晶化ガラス等により構成されている。
【００２０】
１１はスイッチ等が配置された操作部、１２は外郭ケース１の上面開口部とフランジ８の上面を覆うカバーで、金属やモールドによって構成され、その内周端面で前記トッププレート１０を保持し、前面側に操作部１１を納めている。
【００２１】
図４において、１３は操作部１１の下側のフランジ８をそのままの幅で伸ばし、その端縁部に形成された溝で、下向きに凹状をしており、前記溝９の一辺と平行に設けられている。
【００２２】
１４も同じく溝で、溝１３の両端から垂直方向に延長し、前記溝９に接続されている。すなわち、溝９と溝１３及び溝１４が同一面上で連なるように接続されていることによりフランジ８内には図１及び図２の下側、すなわちＰ1方向から見ると正方形の溝９および長方形の溝９´（溝９、溝１３、溝１４で）形成されている。
【００２３】
なお、これらの溝９及び溝９´は前記切り起こし１６を納める深さに形成されている。
【００２４】
本発明は上記の構成によって、置台１５の取り付け穴２が正方形であっても又は長方形であっても外郭ケース１の取り付けが可能である。また置台１５が金属板で、取り付け穴２の端部に補強用の切り起こし１６があっても外郭ケース１の取り付けが可能である。
【００２５】
次にその取り付けについて以下に説明する。
【００２６】
まず、図１に示すように置台１５上に正方形の取り付け穴２が設けられている場合、それより幾分小さくＡ＝Ｃの寸法を有する正方形の外郭ケース１をその取り付け穴２から置台１５の中に収める。そして、取り付け穴２の端部から上向きに突出している切り起こし１６にフランジ８の下面全周に形成した溝９を合わせ、この溝９に切り起こし１６を納める。これによって外郭ケース１は置台１５の取り付け穴２の周縁部に吊り下げられた状態で固定され、置台１５と外郭ケース１の上面のカバー１２との段差がなくなる。
【００２７】
次に図２に示すように、置台１５上に長方形の取り付け穴２が設けられている場合、フランジ８の短辺側（Ｃ寸法側）を取り付け穴２の短辺側にし、長辺側（Ｂ寸法側）を取り付け穴２の長辺側にし、上記図１と同様に外郭ケース１をその取り付け穴２から置台１５の中に収める。そして、取り付け穴２の端部から上向きに突出している長方形の切り起こし１６にフランジ８の下面全周に形成した溝９と、この溝９及び溝１３、１４によって形成される溝９´を合わせ、この溝９と溝９´に切り起こし１６を納めて取り付け穴２に落とし込む。これによって外郭ケース１は置台１５の取り付け穴２の周縁部に吊り下げられた状態で固定され、置台１５と外郭ケース１の上面のカバー１２との段差がなくなる。
【００２８】
次に、図５は本発明の他の実施例を示すもので、フランジ８の外郭ケース１の上端部との近接側に形成した溝９と操作部１１の下側のフランジ８をそのまま伸ばし、その端縁部に形成された溝１３と、この溝１３の両端から垂直方向に延長した溝１４を一体に連ねて凹状に形成したものである。
【００２９】
これによっても置台１５の取り付け穴２が正方形であっても、又長方形であっても上記図１及び図２と同様に溝９及び溝９と溝９´とに切り起こし１６を納めて外郭ケース１を置台１５の取り付け穴２の周縁部に吊り下げて固定することができる。
【００３０】
なお、これらの説明では、置台１５が金属板の場合で、その取り付け穴２の端部から上向きに３〜４ｍｍの切り起こし１６を設けたものに器具の外郭ケース１を設置した例について説明したが、置台１５が木製や大理石で切り起こし１６がないものであっても上記と同様の方法で設置することができるのはもちろんである。
【００３１】
【発明の効果】
以上説明したように、本発明は置台に設けられた取り付け穴に収められる調理器具の外郭ケースは、底面から見て正方形の形状を有し、外郭ケースの上端外周の全周に設けられたフランジと、外郭ケースに近接したフランジの下面全周に設けられた下向きに凹状の溝と、フランジの一辺が伸びた端縁部に設けられた、フランジの下面全周に設けられた溝の一辺と平行な下向きに凹状の溝と、このフランジの下面全周に設けられた溝の一辺と平行な溝の両端と、フランジの下面全周に設けられた溝とを接続する下向きに凹状の溝と、を設けたものであり、これによって置台の取り付け穴の形状が正方形であっても又長方形であっても外郭ケースの取り付けが可能となるものである。
【００３２】
また、金属製の置台の取り付け穴の端部に補強用の切り起こしがあっても外郭ケースの取り付けが可能である。
【００３３】
さらに、外郭ケースは置台の取り付け穴の周縁部に吊り下げられて固定され、置台と外郭ケースの上面のカバーとの段差がなくなるため、調理等を行うときの使い勝手がよくなる。
【００３４】
よって近年増加している、１口タイプの従来機種からの買い換え需要に対して対応出来るものである。
【図面の簡単な説明】
【図１】本発明に係る電磁調理器を置台の正方形の取り付け穴に取り付けた状態の概略側面断面図である。
【図２】同長方形の取り付け穴に取り付けた状態の概略側面断面図である。
【図３】図１および図２の概略正面断面図である。
【図４】同外郭ケース及びフランジ部に設けられた溝を下側から見た状態の説明図である。
【図５】図４の他の実施例を示す説明図である。
【符号の説明】
１    外郭ケース
２    取り付け穴
３    加熱コイル
４    制御基板
５    冷却ファン
９    溝
９´  溝
１１    操作部
１２    カバー
１３    溝
１４    溝
１５    置台
１６    切り起こし
【図１】
0003870394.tif 000002
【図２】
0003870394.tif 000003
【図３】
0003870394.tif 000004
【図４】
0003870394.tif 000005
【図５】
0003870394.tif 000006